(57)【特許請求の範囲】
【請求項１】
複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とする部分表示モードとが選択可能な電気光学装置において、
前記画素は、画素電極と、前記走査線に選択電圧が印加されたときに前記データ線と前記画素電極とを導通状態とするスイッチング素子と、を有し、
前記走査線を所定の順番で選択する選択電圧を供給する走査線駆動回路と、
前記走査線が選択された際に前記データ線に画素の階調に応じて画像信号を供給するデータ線駆動回路と、を備え、
前記走査線駆動回路は、前記部分表示モードにおいて、前記選択電圧の電圧波形を鈍らせるバッファ回路を備え、
前記バッファ回路は、前記複数の走査線に対応して設けられた複数のバッファ単位回路を備え、
前記バッファ単位回路は、前記全画面表示モードでのみ動作する第１のバッファと、前記全画面表示モードおよび前記部分表示モードで動作し、前記第１のバッファよりも電圧波形を鈍らせて出力する第２のバッファと、を並列に接続して構成され、
前記第1のバッファは、前記全画面表示モードまたは前記部分表示モードを選択するモード選択信号が入力される制御端子が設けられ、前記第1のバッファは、前記制御端子から前記全画面表示モードを選択するモード選択信号が入力されているときに、動作することを特徴とする電気光学装置。
【請求項２】
前記走査線駆動回路は、前記全画面表示モードでは、前記表示領域の走査線に対して前記選択電圧を所定期間供給し、前記部分表示モードでは、前記表示領域の走査線に対して前記選択電圧を前記所定期間よりも長い期間供給することを特徴とする請求項１に記載の電気光学装置。
【請求項３】
請求項１または２に記載の電気光学装置を備えることを特徴とする電子機器。
【発明の詳細な説明】
【技術分野】
【０００１】
本発明は、例えば、液晶などの電気光学物質を用いた電気光学装置、および電気光学装置を有する電子機器に関するものである。
【背景技術】
【０００２】
従来より、画像を表示する液晶表示装置などの電気光学装置が知られている。電気光学装置は、例えば、液晶パネルと、この液晶パネルを駆動する駆動回路と、を備えている。このような電気光学装置は、例えば、以下のような構成である。
【０００３】
電気光学装置は、液晶パネルと、この液晶パネルを駆動する液晶駆動回路と、この液晶駆動回路を制御するコントロール回路と、を備えている。液晶駆動回路は、走査線駆動回路と、データ線駆動回路と、液晶駆動用電源回路と、を備えている。
【０００４】
液晶パネルは、後述するスイッチング素子としての薄膜トランジスタ（以降、ＴＦＴと呼ぶ）がマトリクス状に配置された素子基板と、この素子基板に対向配置された対向基板と、素子基板および対向基板の間に設けられた電気光学物質としての液晶と、から構成されている。
【０００５】
素子基板は、所定間隔おきに設けられた複数の走査線と、これら走査線に略直交し所定間隔おきに設けられた複数のデータ線と、複数の走査線と略平行かつ交互に設けられた容量線と、を備えている。
【０００６】
各走査線と各データ線との交差部分には、画素が設けられている。この画素は、上述のＴＦＴのほか、画素電極、およびこの画素電極に一端が接続され他端が容量線に接続された蓄積容量で構成されている。
ＴＦＴのゲートには、走査線が接続され、ＴＦＴのソースには、データ線が接続され、ＴＦＴのドレインには、画素電極および蓄積容量が接続されている。
【０００７】
対向基板には、複数の走査線と略平行に複数のコモン線が設けられている。また、対向基板には、画素電極に対向して共通電極が形成されており、これら共通電極は、コモン線に接続されている。
【０００８】
以上の電気光学装置は、以下のように動作する。すなわち、選択電圧を線順次で供給することで、所定の走査線に係る画素を全て選択する。そして、この画素の選択に同期して、データ線に画素の階調に応じて画像信号を供給する。これにより、選択電圧で選択した全ての画素に画像信号が供給されて、画像データが画素電極に書き込まれる。
【０００９】
この電気光学装置では、共通電極の電圧を基準電圧として、この共通電極の電圧よりも高い電圧でデータ線に画像信号を供給する正極性書込と、共通電極の電圧よりも低い電圧でデータ線に画像信号を供給する負極性書込とを交互に行う。
【００１０】
画素の画素電極に画像信号が書き込まれると、この画素電極と共通電極との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量により、画像信号が書き込まれる期間よりも３桁も長い期間に亘って保持される。
【００１１】
ここで、以上の電気光学装置では、ＴＦＴのゲート−ドレイン間およびソース−ドレイン間に、それぞれ、寄生容量が生じる。ＴＦＴのゲート電圧がオフになると、蓄積容量に蓄積された電荷と、画素電極および共通電極からなる画素容量に蓄積された電荷とが、寄生容量を含んで再分配される。その結果、画素電極の電圧が低下して、液晶に印加される電圧も低下する、いわゆるプッシュダウンが生じる。
【００１２】
このプッシュダウンは、正極性書込においても、また、負極性書込においても、常に生じる。そのため、正極性の画像信号および負極性の画像信号の中心値である中心電圧Ｖｃは、プッシュダウン電圧分だけ、共通電極の電圧ＶＣＯＭよりも高く設定されている。
【００１３】
ところで、以上のような電気光学装置は、例えば、携帯機器に用いられる。この携帯機器では、近年、消費電力の一層の低減が要請されている。そこで、上述のように表示画面の全面に表示する（以降、この場合を全画面表示モードと呼ぶ）のではなく、表示画面の一部にのみ表示する（以降、この場合を部分（パーシャル）表示モードと呼ぶ）ことで、省電力化を図っている（例えば、特許文献１参照）。
この特許文献１で示された電気光学装置においては、パーシャル表示モードでは、表示画面を表示領域と非表示領域とに分割し、表示領域には電池残量や時刻表示などを表示し、非表示領域には何も表示しない。すなわち、ノーマリーホワイトの場合は、非表示領域に白を表示し、ノーマリーブラックの場合は、非表示領域に黒を表示する。
【００１４】
このようなパーシャル表示モードにおいて、上述の全画面表示モードと同様に、画像信号の中心電圧Ｖｃを、プッシュダウン電圧分だけ、共通電極の電圧ＶＣＯＭよりも高く設定すると、非表示領域には何も表示しないにもかかわらず、画素電極と共通電極との間には、常にプッシュダウン電圧による電位差が生じることになり、電力が消費されることになる。
【００１５】
そこで、パーシャル表示モードにおいては、非表示領域における消費電力を低減するため、画像信号の中心電圧Ｖｃを共通電極の電圧ＶＣＯＭと等しく設定し、これにより、非表示領域における消費電力を低減している。
【００１６】
【特許文献１】特開２００１−３５６７４６号公報
【発明の開示】
【発明が解決しようとする課題】
【００１７】
しかしながら、パーシャル表示モードでは、画像信号の中心電圧Ｖｃを共通電極の電圧ＶＣＯＭと等しくすると、非表示領域の消費電力を低減することはできるが、表示領域においては、画像信号の中心電圧Ｖｃは、プッシュダウン電圧分だけ、共通電極の電圧ＶＣＯＭよりも低くなる。そのため、表示領域に焼き付きやフリッカが生じてしまう。
【００１８】
本発明は、パーシャル表示をする際に、表示領域の焼き付きやフリッカを軽減できる電気光学装置および電子機器を提供することを目的とする。
【課題を解決するための手段】
【００１９】
本発明者らは、上述した目的を達成すべく鋭意検討を行った結果、スイッチング素子をオン状態にして画素を選択するために走査線に供給する選択電圧の電圧波形を鈍らせると、プッシュダウン電圧が減少し、表示領域の焼き付きやフリッカを軽減できることを見出し、本発明を完成させるに至った。
【００２０】
本発明の電気光学装置は、複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とする部分表示モードとが選択可能な電気光学装置において、前記画素は、画素電極と、前記走査線に選択電圧が印加されたときに前記データ線と前記画素電極とを導通状態とするスイッチング素子と、を有し、前記走査線を所定の順番で選択する選択電圧を供給する走査線駆動回路と、前記走査線が選択された際に前記データ線に画素の階調に応じて画像信号を供給するデータ線駆動回路と、を備え、前記走査線駆動回路は、前記部分表示モードにおいて、前記選択電圧の電圧波形を鈍らせるバッファ回路を備えることを特徴とする。
【００２１】
この発明によれば、パーシャル表示モードでは、バッファ回路で電圧波形を鈍らせた選択電圧を走査線に供給する構成としたので、プッシュダウン電圧を減少させることができる。したがって、パーシャル表示モードにおける表示領域の焼き付きおよびフリッカを軽減できる。
【００２２】
本発明の電気光学装置においては、前記走査線駆動回路は、前記全画面表示モードでは、前記表示領域の走査線に対して前記選択電圧を所定期間供給し、前記部分表示モードでは、前記表示領域の走査線に対して前記選択電圧を前記所定期間よりも長い期間供給することが好ましい。
【００２３】
この発明によれば、画素を選択する際に、全画面表示モードでは、表示領域の走査線に対して選択電圧を所定期間供給し、パーシャル表示モードでは、表示領域の走査線に対して選択電圧を所定期間よりも長い期間供給することとした。
【００２４】
ところで、パーシャル表示モードでは、全画面表示モードよりも表示領域が狭くなるが、１フレーム期間は変化しない。このため、表示領域においては、走査線の１本あたりの選択期間が、全画面表示モードにおける走査線の1本あたりの選択期間よりも長くなる。したがって、パーシャル表示モードでは、走査線駆動回路から走査線に選択電圧を供給する際の動作クロックを低くでき、消費電力を低減できる。
【００２５】
本発明の電気光学装置においては、前記バッファ回路は、前記複数の走査線に対応して設けられた複数のバッファ単位回路を備え、前記バッファ単位回路は、前記全画面表示モードでのみ動作する第１のバッファと、前記全画面表示モードおよび前記部分表示モードで動作し、前記第１のバッファよりも電圧波形を鈍らせて出力する第２のバッファと、を並列に接続して構成されることが好ましい。
【００２６】
この発明によれば、各走査線に、全画面表示モードでのみ動作する第１のバッファと、全画面表示モードおよびパーシャル表示モードで動作し、第１のバッファよりも電圧波形を鈍らせて出力する第２のバッファと、を並列に接続した。このため、全画面表示モードでは、第１のバッファおよび第２のバッファが動作し、パーシャル表示モードでは、第２のバッファのみが動作する。また、第１のバッファは、供給される電圧をそのままの波形で出力し、第２のバッファは、供給される電圧波形を鈍らせて出力する。
以上により、パーシャル表示モードでは、バッファ回路に供給された電圧が鈍った波形で、選択電圧として走査線に供給される。したがって、パーシャル表示モードでは、プッシュダウン電圧を減少させることができ、表示領域の焼き付きおよびフリッカを軽減できる。
【００２７】
本発明の電子機器は、上述の電気光学装置を備えたことを特徴とする。
この発明によれば、上述した効果と同様の効果がある。
【発明を実施するための最良の形態】
【００２８】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の一実施形態に係る電気光学装置１のブロック図である。
電気光学装置１は、液晶パネルＡＡと、この液晶パネルＡＡを駆動する液晶駆動回路１０と、この液晶駆動回路１０を制御するコントロール回路２０と、を備えている。液晶駆動回路１０は、走査線駆動回路３０と、データ線駆動回路４０と、液晶駆動用電源回路５０と、を備えている。コントロール回路２０は、表示制御部２１と、画像データ変換部２２と、を備えている。
【００２９】
図２は、液晶パネルＡＡの部分拡大平面図である。
液晶パネルＡＡは、スイッチング素子としてのＴＦＴ１５１がマトリクス状に配置された第１の基板としての素子基板１００と、この素子基板１００に対向配置された第２の基板としての対向基板２００と、素子基板１００および対向基板２００の間に設けられた電気光学物質としての液晶と、から構成されている（図１参照）。
上述の液晶駆動回路１０は、液晶パネルＡＡの素子基板１００上に形成されている。
【００３０】
素子基板１００は、所定間隔おきに設けられた複数の走査線１１０と、これら走査線１１０に略直交し所定間隔おきに設けられた複数のデータ線１２０と、複数の走査線１１０と略平行かつ交互に設けられた容量線１４０と、を備えている。なお、図２中、走査線１１０のうち上から順に、走査線１１０Ａ、１１０Ｂ、１１０Ｃとし、データ線１２０のうち左から順に、データ線１２０Ａ、１２０Ｂとする。
【００３１】
各走査線１１０と各データ線１２０との交差部分には、画素１５０が設けられている。この画素１５０は、上述のＴＦＴ１５１のほか、画素電極１５５、およびこの画素電極１５５に一端が接続され他端が容量線１４０に接続された蓄積容量１５３で構成されている。
ＴＦＴ１５１のゲートには、走査線１１０が接続され、ＴＦＴ１５１のソースには、データ線１２０が接続され、ＴＦＴ１５１のドレインには、画素電極１５５および蓄積容量１５３が接続されている。このＴＦＴ１５１は、走査線１１０からの選択電圧が印加されたときにデータ線１２０と画素電極１５５および蓄積容量１５３とを導通状態とする。
【００３２】
対向基板２００には、複数の走査線１１０と略平行に複数のコモン線１３０が設けられている。また、対向基板２００には、画素電極１５５に対向して共通電極１５６が形成されており、これら共通電極１５６は、コモン線１３０に接続されている。
【００３３】
走査線駆動回路３０は、ＴＦＴ１５１をオン状態にする選択電圧を各走査線１１０に線順次で供給する。例えば、ある走査線１１０に選択電圧が供給されると、この走査線１１０に接続されたＴＦＴ１５１が全てオン状態になり、この走査線１１０に係る画素が全て選択される。
【００３４】
データ線駆動回路４０は、画像信号を各データ線１２０に供給し、オン状態のＴＦＴ１５１を介して、画素１５０の画素電極１５５に画像データを順次書き込む。ここで、データ線駆動回路４０は、共通電極１５６の電圧を基準電圧として、この共通電極１５６の電圧よりも高い電圧でデータ線１２０に画像信号を供給する正極性書込と、共通電極１５６の電圧よりも低い電圧でデータ線１２０に画像信号を供給する負極性書込とを交互に行う。
【００３５】
このデータ線駆動回路４０は、液晶の焼き付きを防止するため、例えば、交流電圧を用いて１水平ラインごとに交互に正極性書込または負極性書込を行う１Ｈ反転駆動方式で駆動される。
【００３６】
表示制御部２１は、入力された表示切替信号に基づいて、全画面表示モードまたはパーシャル表示モードを選択し、この選択した表示モードをモード選択信号として走査線駆動回路３０に出力する。
画像データ変換部２２は、入力された画像信号を、正極性書込または負極性書込に応じて変換して、データ線駆動回路４０に出力する。
【００３７】
図３は、走査線駆動回路３０の構成を示すブロック図である。
走査線駆動回路３０は、走査領域設定回路３１と、レベルシフタ３２と、バッファ回路３３と、を備えている。レベルシフタ３２は、複数の走査線１１０に対応して複数のレベルシフタ単位回路（図示せず）を備えている。また、バッファ回路３３は、複数の走査線１１０に対応して複数のバッファ単位回路３３１（図４参照）を備えている。
【００３８】
走査領域設定回路３１は、表示するフレーム毎に、選択電圧を供給する走査線１１０を設定する。具体的には、モード選択信号が全画面表示モードである場合には、全ての走査線１１０に対応するレベルシフタ単位回路を駆動する。一方、モード選択信号がパーシャル表示モードである場合には、一部の走査線１１０に対応するレベルシフタ単位回路を駆動する。
【００３９】
レベルシフタ単位回路は、液晶駆動用電源回路５０から入力された駆動信号のレベルを変換する。具体的には、液晶駆動用電源回路５０から入力された駆動信号を、ＴＦＴ１５１がオン状態になる電圧まで昇圧する。
【００４０】
図４は、バッファ単位回路３３１の回路図である。
バッファ単位回路３３１は、制御端子Ａから入力されたモード選択信号に基づいて、全画面表示モードでは、入力端子Ｂに入力されたレベルシフタ単位回路からの駆動信号を、そのままの電圧波形で、ＴＦＴ１５１をオン状態にして画素を選択する選択電圧として、出力端子Ｃから出力する。パーシャル表示モードでは、入力端子Ｂに入力されたレベルシフタ単位回路からの駆動信号を、鈍らせた電圧波形で、ＴＦＴ１５１をオン状態にして画素を選択する選択電圧として、出力端子Ｃから出力する。
【００４１】
バッファ単位回路３３１は、第１のバッファ３３１Ａと、この第１のバッファ３３１Ａよりも電圧波形を鈍らせて出力する第２のバッファ３３１Ｂと、を並列に接続して構成されている。
第１のバッファ３３１Ａは、入力信号をそのままの電圧波形で出力する。一方、第２のバッファ３３１Ｂは、入力信号を、電圧波形を鈍らせて出力する。
また、第２のバッファ３３１Ｂの入力端子は、第１のバッファ３３１Ａの入力端子に接続され、第２のバッファ３３１Ｂの出力端子は、第１のバッファ３３１Ａの出力端子に接続される。
【００４２】
また、第１のバッファ３３１Ａには、モード選択信号が入力される制御端子が設けられている。このため、第１のバッファ３３１Ａは、全画面表示モードでのみ動作し、第２のバッファ３３１Ｂは、全画面表示モードでもパーシャル表示モードでも動作する。
【００４３】
以上のバッファ単位回路３３１は、以下のように動作する。
全画面表示モードでは、モード選択信号により、第２のバッファ３３１Ｂとともに、第１のバッファ３３１Ａも動作する。
したがって、バッファ単位回路３３１の入力端子Ｂに駆動信号を入力すると、第１のバッファ３３１Ａは、駆動信号をそのままの波形で出力し、第２のバッファ３３１Ｂは、駆動信号を波形を鈍らせて出力するので、バッファ単位回路３３１の出力端子Ｃからは、駆動信号がそのままの波形で出力される。
【００４４】
パーシャル表示モードでは、モード選択信号により、第２のバッファ３３１Ｂのみ動作する。
したがって、バッファ単位回路３３１の入力端子Ｂに駆動信号を入力すると、第２のバッファ３３１Ｂは、駆動信号を電圧波形を鈍らせて出力するので、バッファ単位回路３３１の出力端子Ｃからは、駆動信号が鈍らせた電圧波形で出力される。
【００４５】
以上の電気光学装置１は、全画面表示モードでは、以下のように動作する。
走査線駆動回路３０は、液晶駆動用電源回路５０から供給された駆動信号を、バッファ回路３３を介してそのままの電圧波形で、選択電圧として走査線１１０に線順次で供給することで、所定の走査線１１０に係る画素１５０を全て選択する。この画素１５０の選択に同期して、データ線駆動回路４０は、データ線１２０に画像信号を供給する。これにより、走査線駆動回路３０で選択した全ての画素に画像信号が供給され、画像データが画素電極１５５に書き込まれる。
【００４６】
画素電極１５５に画像データが書き込まれると、画素電極１５５と共通電極１５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量１５３により、画像信号が書き込まれる期間よりも３桁も長い期間に亘って保持される。
【００４７】
また、以上の電気光学装置１は、パーシャル表示モードでは、以下のように動作する。
図５は、パーシャル表示モードにおける液晶パネルＡＡの表示画面を示す図である。
パーシャル表示モードでは、表示画面７０は、表示領域７１とこの表示領域７１を挟んで設けられた非表示領域７２とに分割される。表示領域７１には電池残量や時刻表示などが表示され、非表示領域７２には何も表示されない。すなわち、非表示領域は、ノーマリーホワイトの場合は、白が表示され、ノーマリーブラックの場合は、黒が表示される。
【００４８】
このようなパーシャル表示モードにおいては、全画面表示モードよりも表示領域が狭くなるが、１フレーム期間は変化しない。そのため、表示領域７１においては、走査線１１０の１本あたりの選択期間が、全画面表示モードにおける走査線１１０の１本あたりの選択期間よりも長くなる。
また、非表示領域７２は、何も表示しないため、表示領域７１に比べて低い頻度で、例えば５フレームに１度、フレームが更新される。
【００４９】
以下、図６、図７を参照しながら、電気光学装置の１の全画面表示モードおよびパーシャル表示モードにおける動作について説明する。
図６、図７において、ＧＡＴＥ１〜３、ＤＡＴＡ１、ＰＩＸ１は、それぞれ、電気光学装置１の走査線１１０Ａ〜Ｃ、データ線１２０Ａ、走査線１１０Ａとデータ線１２０Ａの交差部分に設けられた画素１５０の電圧である。また、ＶＣＯＭは共通電極１５６の電圧であり、Ｖｃは正極性書込における画像信号および負極性書込における画像信号の中心電圧である。
また、図７において、ＧＡＴＥ１Ａ、ＤＡＴＡ１Ａ、ＰＩＸ１Ａは、それぞれ、バッファ回路３３を有していない電気光学装置の走査線、データ線、走査線とデータ線の交差部分に設けられた画素の電圧である。
【００５０】
図６は、電気光学装置１の全画面表示モードにおけるタイミングチャートである。
まず、時刻ｔ１からｔ２までの間、正極性書込を行う。すなわち、走査線駆動回路３０により走査線１１０Ａに選択電圧を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧ＶＣＯＭよりも高い電圧でデータ線１２０Ａに画像信号を供給して、ＴＦＴ１５１を介して、画素電極１５５に画像データを書き込む。
この場合、走査線１１０Ａに供給される選択電圧は、走査線駆動回路３０に供給される駆動信号がバッファ回路３３を介して出力されたものである。全画面表示モードでは、バッファ回路３３が有する第１のバッファ３３１Ａおよび第２のバッファ３３１Ｂの双方が動作する。このため、走査線１１０Ａの電圧ＧＡＴＥ１の波形は、立上りおよび立下りが急峻である。
【００５１】
次に、時刻ｔ２からｔ３までの間、負極性書込を行う。すなわち、走査線駆動回路３０により走査線１１０Ｂに選択電圧を供給して、走査線１１０Ｂの電圧ＧＡＴＥ２をＶＧＨとし、この走査線１１０Ｂに係る１水平ラインのＴＦＴ１５１を全てオン状態にする。
同時に、データ線駆動回路４０により、共通電極１５６の電圧ＶＣＯＭよりも低い電圧でデータ線１２０Ａに画像信号を供給して、ＴＦＴ１５１を介して、画素電極１５５に画像データを書き込む。
この場合、走査線１１０Ｂの電圧ＧＡＴＥ２の波形は、前述した走査線１１０Ａの電圧ＧＡＴＥ１の波形と同様に、立上りおよび立下りが急峻である。
【００５２】
次に、時刻ｔ３からｔ４までの間、正極性書込を行う。すなわち、走査線駆動回路３０により走査線１１０Ｃに選択電圧を供給して、走査線１１０Ｃの電圧ＧＡＴＥ３をＶＧＨとし、この走査線１１０Ｃに係る１水平ラインのＴＦＴ１５１を全てオン状態にする。
同時に、データ線駆動回路４０により、共通電極１５６の電圧ＶＣＯＭよりも高い電圧でデータ線１２０Ａに画像信号を供給して、ＴＦＴ１５１を介して、画素電極１５５に画像データを書き込む。
この場合、走査線１１０Ｃの電圧ＧＡＴＥ３の波形は、前述した走査線１１０Ａ、１１０Ｂの電圧ＧＡＴＥ１、ＧＡＴＥ２の波形と同様に、立上りおよび立下りが急峻である。
【００５３】
以上のように、走査線の電圧の波形の立上りおよび立下りが急峻となる選択電圧を走査線駆動回路から走査線に供給し、１Ｈ反転駆動方式により、１水平ラインごとに交互に正極性書込および負極性書込を繰り返して、１つのフレームを生成する。
【００５４】
図７は、電気光学装置１のパーシャル表示モードにおけるタイミングチャートである。図７においては、理解を容易にするため、正極性書込においても、負極性書込においても、同じ階調で書き込んでいる。ここで、パーシャル表示モードにおける１水平ラインの選択期間は、全画面表示モードにおける１水平ラインの選択期間の３倍となっている。具体的には、時刻ｔ５からｔ６までの期間は、時刻ｔ１からｔ４までの期間に等しくなっている。
【００５５】
まず、時刻ｔ５からｔ６までの間、正極性書込を行う。すなわち、走査線駆動回路３０により走査線１１０Ａに選択電圧を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧ＶＣＯＭよりも高いＶＰ１でデータ線１２０Ａに画像信号を供給して、ＴＦＴ１５１を介して、画素電極１５５に画像データを書き込む。
パーシャル表示モードでは、バッファ回路３３が有する第１のバッファ３３１Ａおよび第２のバッファ３３１Ｂのうち、第２のバッファ３３１Ｂのみが動作する。このため、走査線１１０Ａの電圧ＧＡＴＥ１の波形は、バッファ回路３３を有していない電気光学装置の走査線の電圧ＧＡＴＥ１Ａの波形と比べて、立上りが鈍っている。
【００５６】
次に、時刻ｔ６において、走査線駆動回路３０により走査線１１０Ａに係る１水平ラインのＴＦＴ１５１をオフ状態にする。すると、蓄積容量１５３に蓄積された電荷と、画素電極１５５および共通電極１５６からなる画素容量に蓄積された電荷とが、寄生容量Ｃｇｓ、Ｃｄｓを含んで再分配され、プッシュダウンが生じる。そのため、画素電極１５５の電圧ＰＩＸ１は低下してＶＰ２となり、この画素電極１５５の電圧ＶＰ２と共通電極１５６の電圧ＶＣＯＭとの電位差が液晶に印加される。
パーシャル表示モードでは、バッファ回路３３が有する第１のバッファ３３１Ａおよび第２のバッファ３３１Ｂのうち、第２のバッファ３３１Ｂのみが動作する。このため、走査線１１０Ａの電圧ＧＡＴＥ１の波形は、バッファ回路３３を有していない電気光学装置の走査線の電圧ＧＡＴＥ１Ａの波形と比べて、立下りが鈍っている。
このため、バッファ回路３３を有していない電気光学装置の画素の電圧ＰＩＸ１Ａでは、プッシュダウン電圧が（ＶＰ１−ＶＰ６）であるが、電気光学装置１の画素１５０の電圧ＰＩＸ１は、プッシュダウン電圧が（ＶＰ１−ＶＰ２）となっている。つまり、電気光学装置１は、バッファ回路３３を有していない電気光学装置と比べて、プッシュダウン電圧が減少している。
【００５７】
時刻ｔ６から時刻ｔ７までの間において、画素容量および蓄積容量１５３に蓄積された電荷は、徐々に放電されて、画素電極１５５の電圧ＰＩＸ１は、ＶＰ２からＶＰ３まで低下する。バッファ回路３３を有していない電気光学装置についても同様に、画素電極の電圧ＰＩＸ１Ａは、ＶＰ６からＶＰ７まで低下する。
【００５８】
次に、時刻ｔ７からｔ８までの間、負極性書込を行う。すなわち、走査線駆動回路３０により走査線１１０Ａに選択電圧を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧ＶＣＯＭよりも低いＶＰ４でデータ線１２０Ａに画像信号を供給して、ＴＦＴ１５１を介して、画素電極１５５に画像データを書き込む。
パーシャル表示モードでは、バッファ回路３３が有する第１のバッファ３３１Ａおよび第２のバッファ３３１Ｂのうち、第２のバッファ３３１Ｂのみが動作する。このため、走査線１１０Ａの電圧ＧＡＴＥ１の波形は、バッファ回路３３を有していない電気光学装置の走査線の電圧ＧＡＴＥ１Ａの波形と比べて、立上りが鈍っている。
【００５９】
次に、時刻ｔ８において、走査線駆動回路３０により走査線１１０Ａに係る１水平ラインのＴＦＴ１５１をオフ状態にする。すると、蓄積容量１５３に蓄積された電荷と、画素電極１５５および共通電極１５６からなる画素容量に蓄積された電荷とが、寄生容量Ｃｇｓ、Ｃｄｓを含んで再分配され、プッシュダウンが生じる。そのため、画素電極１５５の電圧ＰＩＸ１は低下してＶＰ５となり、この画素電極１５５の電圧ＶＰ５と共通電極１５６の電圧ＶＣＯＭとの電位差が液晶に印加される。
パーシャル表示モードでは、バッファ回路３３が有する第１のバッファ３３１Ａおよび第２のバッファ３３１Ｂのうち、第２のバッファ３３１Ｂのみが動作する。このため、走査線１１０Ａの電圧ＧＡＴＥ１の波形は、バッファ回路３３を有していない電気光学装置の走査線の電圧ＧＡＴＥ１Ａの波形と比べて、立下りが鈍っている。
このため、バッファ回路３３を有していない電気光学装置の画素の電圧ＰＩＸ１Ａでは、プッシュダウン電圧が（ＶＰ４−ＶＰ８）であるが、電気光学装置１の画素１５０の電圧ＰＩＸ１は、プッシュダウン電圧が（ＶＰ４−ＶＰ５）となっている。つまり、電気光学装置１は、バッファ回路３３を有していない電気光学装置と比べて、プッシュダウン電圧が減少している。
【００６０】
本実施形態によれば、以下のような効果がある。
（１）パーシャル表示モードでは、バッファ回路３３で電圧波形を鈍らせた選択電圧を走査線１１０に供給する構成としたので、プッシュダウン電圧を減少させることができる。したがって、パーシャル表示モードにおける表示領域の焼き付きおよびフリッカを軽減できる。
【００６１】
（２）画素１５０を選択する際に、全画面表示モードでは、所定期間、ＴＦＴ１５１をオン状態にする選択電圧を走査線１１０に供給し、パーシャル表示モードでは、前述した所定期間の３倍の期間、ＴＦＴ１５１をオン状態にする選択電圧を走査線１１０に供給した。したがって、パーシャル表示モードでは、走査線駆動回路３０から走査線１１０に選択電圧を供給する際の動作クロックを低くでき、消費電力を低減できる。
【００６２】
（３）各走査線１１０に、全画面表示モードでのみ動作する第１のバッファ３３１Ａと、全画面表示モードおよびパーシャル表示モードで動作し、第１のバッファ３３１Ａよりも電圧波形を鈍らせて出力する第２のバッファ３３１Ｂと、を並列に接続した。
したがって、第１のバッファ３３１Ａを選択的に駆動させるだけで、全画面表示モードでは、そのままの波形の信号を生成でき、パーシャル表示モードでは、鈍った波形の信号を生成できるので、簡単な構成でプッシュダウン電圧を減少させることができる。
また、パーシャル表示モードでは、第１のバッファ３３１Ａよりも電圧波形を鈍らせて出力する第２のバッファ３３１Ｂのみ、つまり駆動能力の低いバッファのみを使用するため、更なる低消費電力化が可能となる。
【００６３】
＜変形例＞
なお、本発明は前記実施形態に限定されるものではなく、本発明の目的を達成できる範囲での変形、改良等は本発明に含まれるものである。
例えば、本実施形態では、バッファ回路３３を走査線駆動回路３０に設けたが、これに限らず、データ線駆動回路とは別個に設けてもよい。
【００６４】
また、本実施形態では、データ線駆動回路４０は、１Ｈ反転駆動方式で駆動されるものとしたが、これに限らず、例えば、交流電圧を用いて１画素毎に交互に正極性書込または負極性書込を行うドット反転駆動方式で駆動されるものであってもよい。
【００６５】
また、本実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域毎に異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、上記実施形態と同様に本発明が適用され得る。
【００６６】
＜応用例＞
次に、上述した実施形態に係る電気光学装置１を適用した電子機器について説明する。
図８は、電気光学装置１を適用した携帯電話機の構成を示す斜視図である。携帯電話機３０００は、複数の操作ボタン３００１およびスクロールボタン３００２、ならびに電気光学装置１を備えている。スクロールボタン３００２を操作することによって、電気光学装置１に表示される画面がスクロールされる。
【００６７】
なお、電気光学装置１が適用される電子機器としては、図８に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００６８】
【図１】本発明の一実施形態に係る電気光学装置の構成を示すブロック図である。
【図２】前記電気光学装置の液晶パネルの部分拡大平面図である。
【図３】前記電気光学装置の走査線駆動回路の構成を示すブロック図である。
【図４】前記電気光学装置のバッファ単位回路の回路図である。
【図５】パーシャル表示モードにおける液晶パネルの表示画面を示す図である。
【図６】前記電気光学装置の全画面表示モードにおけるタイミングチャートである。
【図７】前記電気光学装置のパーシャル表示モードにおけるタイミングチャートである。
【図８】上述した電気光学装置を適用した携帯電話機の構成を示す斜視図である。
【符号の説明】
【００６９】
１…電気光学装置、３０…走査線駆動回路、３１…走査領域設定回路、３２…レベルシフタ、３３…バッファ回路、３３１…バッファ単位回路、３３１Ａ…第１のバッファ、３３１Ｂ…第２のバッファ、４０…データ線駆動回路、１００…素子基板（第１の基板）、１１０、１１０Ａ、１１０Ｂ、１１０Ｃ…走査線、１２０、１２０Ａ、１２０Ｂ…データ線、１５０…画素、１５１…ＴＦＴ（スイッチング素子）、１５５…画素電極、１５６…共通電極、２００…対向基板（第２の基板）、３０００…携帯電話機（電子機器）。
【図１】
0004591258.tif 000002
【図２】
0004591258.tif 000003
【図３】
0004591258.tif 000004
【図４】
0004591258.tif 000005
【図５】
0004591258.tif 000006
【図６】
0004591258.tif 000007
【図７】
0004591258.tif 000008
【図８】
0004591258.tif 000009